(57)【特許請求の範囲】
【請求項１】
隣接する複数の床材（２）・・の端部を、床梁（１Ａ）（１Ｂ）・・の長手方向に沿った共通の床受部材（３０）（４０）・・によって支持するとともに、この床受部材（３０）（４０）・・と前記床梁（１Ａ）（１Ｂ）・・との間に、主として弾性機能を発揮する床衝撃音低減用の弾性支持部材（３）・・と、主として減衰機能を発揮する歩行振動抑制用の減衰支持部材（４）・・とを介在させた遮音床構造であって、前記弾性支持部材（３）・・と減衰支持部材（４）・・とを、前記床材（２）・・の角部に対応させて、且つ、前記床材（２）・・の端部長さと同等の間隔をあけて、前記床梁（１Ａ）（１Ｂ）・・の長手方向に沿って交互に配置したことを特徴とする遮音床構造。
【請求項２】
互いに平行に配置された前記床梁（１Ａ）（１Ｂ）・・に対して設けた前記弾性支持部材（３）・・を、互いに平行に配置された前記床梁（１Ａ）（１Ｂ）・・と直交する方向の直線上に揃えて配置するとともに、互いに平行に配置された前記床梁（１Ａ）（１Ｂ）・・に対して設けた前記減衰支持部材（４）・・を、互いに平行に配置された前記床梁（１Ａ）（１Ｂ）・・と直交する方向の直線上に揃えて配置した請求項１記載の遮音床構造。
【請求項３】
前記弾性支持部材（３）・・は、板状の弾性ゴムからなり、前記減衰支持部材（４）・・は、板状の粘弾性ゴムからなる請求項１又は２記載の遮音床構造。
【発明の詳細な説明】
【技術分野】
【０００１】
この発明は、例えば戸建て住宅やマンション等の建物の遮音床構造に関する。
【背景技術】
【０００２】
従来、戸建て住宅等の建物において、床衝撃音を低減させるために、例えば特許文献１にも開示されているように、床材と床梁との間に複数の防振ゴムを介在させた床構造が知られている。
【０００３】
しかしながら、上記のような防振ゴムを使用して床衝撃音を低減した床構造においては、床材を防振ゴムで弾性支持することで、床材が揺れ易くなって、歩行感が悪くなるといった問題があった。
【０００４】
なお、特許文献１に記載の床構造においては、隣接する複数の床材の端部を、床梁の長手方向に沿った共通の床受部材によって支持して、この床受部材と床梁との間に複数の防振ゴムを介在させることで、防振ゴムの使用に伴う振動障害に配慮しているが、歩行感を良好にする上での対策としては未だ十分と言えるものではなかった。
【０００５】
そこで、本出願人は、特許文献２に開示されているように、隣接する複数の床材の端部を支持する床受部材と床梁との間に、防振ゴムと液封マウントとを併用して介在させて、液封マウントの減衰機構を歩行振動の抑制のために用いることで、床衝撃音の低減だけでなく、歩行振動を積極的に減衰して歩行感を良好にした床構造を提案している。
【０００６】
【特許文献１】特許第３８９５１０１号公報
【特許文献２】特開２００６−２８３４１７号公報
【発明の開示】
【発明が解決しようとする課題】
【０００７】
しかしながら、防振ゴムと液封マウントを併用した床構造においては、高価な液封マウントのみを使用するときと比べて、液封マウントの使用個数を減らして設備費を低減することができるものの、依然として液封マウントを使用していることから、設備費のより一層の削減が望まれていた。また、液封マウントは、その構造が複雑で嵩高のものが多く、このような嵩高の液封マウントを使用する場合、床材の設置レベルを低く抑えることが困難で、床面の高さレベルが高くなるといった不具合も生じていた。
【０００８】
そこで、この発明は、上記不具合を解消して、床衝撃音を低減しながら歩行感を良好に維持することができ、しかも設備費を削減して、床面の高さレベルも低く抑えることができる遮音床構造の提供を目的とする。
【課題を解決するための手段】
【０００９】
上記課題を解決するため、この発明の遮音床構造は、隣接する複数の床材２・・の端部を、床梁１Ａ、１Ｂ・・の長手方向に沿った共通の床受部材３０、４０・・によって支持するとともに、この床受部材３０、４０・・と前記床梁１Ａ、１Ｂ・・との間に、主として弾性機能を発揮する例えば板状の弾性ゴムからなる床衝撃音低減用の弾性支持部材３・・と、主として減衰機能を発揮する例えば板状の粘弾性ゴムからなる歩行振動抑制用の減衰支持部材４・・とを介在させている。
【００１０】
そして、前記弾性支持部材３・・と減衰支持部材４・・とを、前記床材２・・の角部に対応させて、且つ、前記床材２・・の端部長さと同等の間隔をあけて、前記床梁１Ａ、１Ｂ・・の長手方向に沿って交互に配置している。
【００１１】
さらに、互いに平行に配置された前記床梁１Ａ、１Ｂ・・に対して設けた前記弾性支持部材３・・を、互いに平行に配置された前記床梁１Ａ、１Ｂ・・と直交する方向の直線上に揃えて配置するとともに、互いに平行に配置された前記床梁１Ａ、１Ｂ・・に対して設けた前記減衰支持部材４・・を、互いに平行に配置された前記床梁１Ａ、１Ｂ・・と直交する方向の直線上に揃えて配置している。
【発明の効果】
【００１２】
この発明の遮音床構造においては、主として弾性機能を発揮する例えば板状の弾性ゴムのような床衝撃音低減用の弾性支持部材と、主として減衰機能を発揮する例えば板状の粘弾性ゴムのような歩行振動抑制用の減衰支持部材とを併用しているので、床衝撃音を低減しながら歩行感を良好に維持することができる。しかも、高価で嵩高な液封マウントを使用するときと比べて、設備費を削減することができ、また床材の設置レベルを低く抑えて床面の高さレベルが高くなることを防止することができる。
【００１３】
また、弾性支持部材及び減衰支持部材を、床梁の長手方向に沿って交互に配置することで、床受部材における弾性支持部材間の撓みが生じ易い部分の振動を減衰支持部材によって効果的に減衰して、歩行感をより一層良好に維持することができる。
【００１４】
さらに、弾性支持部材及び減衰支持部材を、床材の角部に対応させて、且つ、床材の端部長さと同等の間隔をあけて配置することで、各床材の角部直下において弾性支持部材と減衰支持部材が分散配置され、床全面において弾性機能及び減衰機能をバランス良く発揮させて性能向上を図ることができる。
【００１５】
さらにまた、互いに平行に配置された床梁に対して設けた弾性支持部材や減衰支持部材を、床梁と直交する方向の直線上に揃えて配置することで、各床受部材の挙動を同じにして、床面の不陸調整等を容易にすることができる。
【発明を実施するための最良の形態】
【００１６】
以下、この発明の実施形態を図面に基づいて詳細に説明する。この発明の一実施形態に係る遮音床構造は、住宅やマンション等の上層階において適用され、図１及び図２に示すように、床梁１Ａ、１Ｂ・・に対する床材２・・の並設に際して、複数の床衝撃音低減用の弾性支持部材３・・と複数の歩行振動抑制用の減衰支持部材４・・とを併用して用いるようにしている。なお、これら弾性支持部材３・・と減衰支持部材４・・とは、一体化されたものではなく、夫々別体で用いられている。
【００１７】
床梁１Ａ、１Ｂ・・は、Ｈ形鋼からなり、フランジ５、６が上下に互いに平行になるようにして組み付けられている。床材２・・は、ＡＬＣや押出成形セメント板からなり、平面視略長方形状に形成されている。各床材２の短手方向に沿った両端部中央には、図３に示すように、切欠部１１、１１が夫々形成されている。この切欠部１１は、床材２の上面から下面に跨って形成した断面半円状の縦溝１１ａと、この縦溝１１ａの上端に連続して床材２の上面に形成した方形状の横溝１１ｂとからなる。
【００１８】
床衝撃音低減用の各弾性支持部材３は、主として弾性機能を発揮する弾性ゴムからなり、図４に示すように、厚みが３０〜４０ｍｍ程度の板状に形成されている。この弾性ゴムのばね定数は、床材２・・における床衝撃音を効果的に低減するように例えば１１００Ｎ／ｍｍに設定されている。
【００１９】
歩行振動抑制用の各減衰支持部材４は、主として減衰機能を発揮する粘弾性ゴムからなり、図４に示すように、弾性支持部材３と同様に厚みが３０〜４０ｍｍ程度の板状に形成されている。この粘弾性ゴムは、床材２・・における例えば１５Ｈｚ付近の歩行振動を効果的に抑制するようにチューニングされている。
【００２０】
図１は、上記の弾性支持部材３・・及び減衰支持部材４・・の配置を示している。なお、図１において、弾性支持部材３・・は黒塗りで示し、減衰支持部材４・・は白塗りで示している。弾性支持部材３・・及び減衰支持部材４・・は、互いに平行に配された床梁１Ａ、１Ｂ・・の上フランジ５・・の上面において、床梁１Ａ、１Ｂ・・の長手方向に沿って交互に配置されている。これら弾性支持部材３・・及び減衰支持部材４・・の配置間隔は、床材２の短手方向に沿った端部長さと同等の間隔(例えば約５００ｍｍ)とされている。また、互いに平行に配された床梁１Ａ、１Ｂ・・に対して設けた弾性支持部材３・・は、これら床梁１Ａ、１Ｂ・・と直交する方向の直線上に揃えて配置されており、また互いに平行に配された床梁１Ａ、１Ｂ・・に対して設けた減衰支持部材４・・も同様に、これら床梁１Ａ、１Ｂ・・と直交する方向の直線上に揃えて配置されている。さらに、歩行感の悪化を極力招かないようにするために、床梁１Ａ、１Ｂ・・の床外周側端部すなわち歩行頻度の少ない箇所には、歩行感に影響を与え易い弾性支持部材３・・を配置している。
【００２１】
そして、互いに平行に配された床梁１Ａ、１Ｂ・・のうち、床外周部に沿った床梁１Ｂ以外の各床梁１Ａ・・に設けた弾性支持部材３・・及び減衰支持部材４・・上には、図４及び図５に示すように、床梁１Ａ・・の長手方向に沿った床受部材３０が夫々取り付けられている。床受部材３０は、長手方向に曲げ剛性を高めた形鋼、具体的には溝部が下向きに開口する溝形鋼からなり、そのウエブ３１が弾性支持部材３・・及び減衰支持部材４・・上に載置されている。また、この床受部材３０のウエブ３１には、その長手方向に約５００ｍｍの間隔をあけて複数の床材固定用ボルト３３・・が立設されている。なお、床受部材３０は、弾性支持部材３・・及び減衰支持部材４・・に対して床材固定用ボルト３３・・が長手方向に約２５０ｍｍずれた状態すなわち隣接する弾性支持部材３と減衰支持部材４との間の略中央において各床材固定用ボルト３３が位置するように配されている。
【００２２】
床外周部に沿った床梁１Ｂに設けた弾性支持部材３・・及び減衰支持部材４・・上には、図６及び図７に示すように、床梁１Ｂの長手方向に沿った床受部材４０が取り付けられている。床外周部に沿った床梁１Ｂの上フランジ５には、外壁の軸組２４や柱等の他部材も取り付けられており、床梁１Ｂの上フランジ５上の設置スペースは狭くなっている。従って、弾性支持部材３・・及び減衰支持部材４・・としては、幅狭の形状のものが用いられ、また床受部材４０としては、略Ｌ字形の形鋼が用いられて、その幅狭の水平片４１を弾性支持部材３・・及び減衰支持部材４・・上に載置することで、他部材との干渉をなくしている。
【００２３】
そして、図８及び図９に示すように、床受部材３０・・のウエブ３１・・上面及び床受部材４０の水平片４１上面には、複数の床材２・・の短手方向に沿った端部が夫々載置されて、これら床受部材３０・・及び床受部材４０によって床材２・・が支持されている。
【００２４】
すなわち、床梁１Ａ、１Ｂ・・の長手方向に隣接する複数の床材２・・の短手方向に沿った端部が、床梁１Ａ、１Ｂ・・の長手方向に沿った共通の床受部材３０、４０によって支持されるとともに、床受部材３０、４０・・と床梁１Ａ、１Ｂ・・との間に、床材２・・の各角部に対応して弾性支持部材３・・及び減衰支持部材４・・が介在された状態で、床梁１Ａ、１Ｂ・・に対して床材２・・が並設されている。
【００２５】
この状態において、床受部材３０のウエブ３１には、図８及び図１０に示すように、床梁１Ａの長手方向と直交する方向に隣接する床材２、２の短手方向に沿った端部が対向して載置され、それら切欠部１１、１１の縦溝１１ａ、１１ａが合わさってなる筒状部に、床受部材３０の床材固定用ボルト３３が挿通された状態となっている。
【００２６】
そして、床材固定用ボルト３３の先端部には、押付部材５０が取り付けられている。この押付部材５０は、床材固定用ボルト３３を挿通させた状態で、床梁１Ａの長手方向と直交する方向に隣接する床材２、２の切欠部１１、１１の横溝１１ｂ、１１ｂに収容されて、床材２、２の上面に当接する当接プレート５１と、床材固定用ボルト３３の先端部に螺合して当接プレート５１を下方へ押し込むナット５２とを備えている。従って、この押付部材５０によって、床材２、２の上面が下方へ向けて押さえ付けられて、床材２、２の短手方向に沿った端部が床受部材３０に固定されている。
【００２７】
また、床受部材４０の水平片４１に載置された床材２・・の短手方向に沿った端部中央には、ボルト貫通孔５３が形成されていて、図９及び図１１に示すように、そのボルト貫通孔５３には固定ボルト５５が貫通されている。そして、固定ボルト５５を挿通させた押当プレート５６を、固定ボルト５５の先端部に螺合したナット５７により上方へ押し込むことで、押当プレート５６が床受部材４０の水平片４１の下面及び床材２の下面に跨って押し付けられて、これによって床材２の短手方向に沿った端部が床受部材４０に固定されている。
【００２８】
このようにして設置した床材２・・の上面には、図１０及び図１１に示すように、パーティクルボード５８やフロア材が敷設される。
【００２９】
上記構成の床構造においては、床材２・・上において物が落下したときや子供が飛び跳ねたとき等には、弾性支持部材３・・の作用により、床材２・・から床梁１Ａ、１Ｂ・・を介して下層階へ伝搬する床衝撃音を低減することができる。また、床材２・・上を歩行したときには、減衰支持部材４・・の作用により、歩行振動を減衰して歩行感を良好にすることができる。
【００３０】
図１２及び図１３は、別の実施形態に係る遮音床構造を示している。この遮音床構造に用いる床材６０は、図１４及び図１５に示すように、コンクリート基材６１に補強部材６２を埋設することによって構成されている。
【００３１】
コンクリート基材６１は、平面視長方形状に形成されており、その短手方向に沿った端部中央には、上記床材２のときと同様の切欠部１１、１１が形成されている。補強部材６２は、例えば複数の棒鋼を格子状に溶接してなるメッシュ鉄筋６３に、一対のハット形鋼６４、６４を、それら開口部分が上向きとなるようにして互いに略平行に溶接することによって構成されている。このようにして構成された補強部材６２は、そのハット形鋼６４、６４の凸部６５、６５をコンクリート基材６１の下面から突出させるようにして、コンクリート基材６１に埋設されている。ハット形鋼６４、６４は、コンクリート基材６１の長手方向の略全長に亘って配されており、その凸部６５、６５が床根太として機能するようになっている。
【００３２】
このようにして構成された床材６０・・の設置に際しては、ハット形鋼６４、６４の凸部６５、６５の端部を床受部材３０や床受部材４０に載置して、床受部材４０側においては押当プレート５６を床受部材４０の水平片４１の下面及び床材６０のハット形鋼６４の凸部６５、６５の下面に跨って押し付ける以外は、上記実施形態と同様になされている。なお、上記実施形態と同様の機能を有する部材については同符号を付してある。
【００３３】
このような床材６０・・を用いた遮音床構造においては、床材６０・・の曲げ剛性や重量の調整を容易に行うことができ、床材６０・・の遮音性能を高めることができる。
【００３４】
この発明は、上記実施形態に限定されるものではなく、この発明の範囲内で上記実施形態に多くの修正及び変更を加え得ることは勿論である。
【図面の簡単な説明】
【００３５】
【図１】この発明の一実施形態に係る遮音床構造における弾性支持部材及び減衰支持部材の配置例を示す図である。
【図２】遮音床構造の部分斜視図である。
【図３】床材の斜視図である。
【図４】床梁への床受部材の取付状態を示す分解斜視図である。
【図５】床梁への床受部材の取付状態を示す斜視図である。
【図６】床外周部に沿った床梁への床受部材の取付状態を示す分解斜視図である。
【図７】床外周部に沿った床梁への床受部材の取付状態を示す斜視図である。
【図８】床材の設置状態を示す斜視図である。
【図９】床材の設置状態を示す斜視図である。
【図１０】床材の設置状態を示す縦断面図である。
【図１１】床材の設置状態を示す縦断面図である。
【図１２】別の実施形態に係る遮音床構造における床材の設置状態を示す縦断面図である。
【図１３】床材の設置状態を示す縦断面図である。
【図１４】床材の斜視図である。
【図１５】床材の縦断面図である。
【符号の説明】
【００３６】
１Ａ、１Ｂ・・床梁、２・・床材、３・・弾性支持部材、４・・減衰支持部材、３０、４０・・床受部材
【図１】
0004867871.tif 000002
【図２】
0004867871.tif 000003
【図３】
0004867871.tif 000004
【図４】
0004867871.tif 000005
【図５】
0004867871.tif 000006
【図６】
0004867871.tif 000007
【図７】
0004867871.tif 000008
【図８】
0004867871.tif 000009
【図９】
0004867871.tif 000010
【図１０】
0004867871.tif 000011
【図１１】
0004867871.tif 000012
【図１２】
0004867871.tif 000013
【図１３】
0004867871.tif 000014
【図１４】
0004867871.tif 000015
【図１５】
0004867871.tif 000016